(57)【特許請求の範囲】
【請求項１】
平板を前方に屈曲形成し、上下に開通する差込部が形成された座金と、
前端側には、雨樋を支持可能な樋支持具本体が形成されると共に、基端側には、上方又は下方に延設する取付片部が形成された取付杆とから成り、
上記座金の差込部に、取付杆の取付片部を挿通し、これらがスポット溶接又はリベット止めによって固着された構造の雨樋支持具において、
上記座金の差込部の内壁面には、前方に凹ませた、少なくとも角部を有する三角、四角などの多角形状の回転防止部が形成されると共に、上記取付杆の取付片部の前面には、上記回転防止部に係合される係止部が形成されており、
上記回転防止部と係止部には、重合する貫通孔が開設されていると共に、上記係止部の裏面の貫通孔周囲にはリベットの逃がし凹所が形成されていることを特徴とする雨樋支持具。
【請求項２】
平板を前方に屈曲形成し、上下に開通する差込部が形成された座金と、
前端側には、雨樋を支持可能な樋支持具本体が形成されると共に、基端側には、上方又は下方に延設する取付片部が形成された取付杆とから成り、
上記座金の差込部に、取付杆の取付片部を挿通し、これらがスポット溶接又はリベット止めによって固着された構造の雨樋支持具において、
上記座金の差込部の内壁面には、後方に凹ませた、少なくとも角部を有する三角、四角などの多角形状の回転防止部が形成されると共に、上記取付杆の取付片部の前面には、上記回転防止部に係合される係止部が形成されており、
上記回転防止部と係止部には、重合する貫通孔が開設されていると共に、上記回転防止部の前面の貫通孔周囲にはリベットの逃がし凹所が形成されていることを特徴とする雨樋支持具。
【発明の詳細な説明】
【０００１】
【発明の属する技術分野】
本発明は、軒先等に取付ける雨樋支持具に関し、詳しくは、軒先等に固定される座金の差込部に、雨樋を支持可能な樋支持具本体が形成された取付杆の取付片部を挿通し、これらがスポット溶接又はリベット止めによって固着された構造の雨樋支持具に関する。
【０００２】
【従来の技術】
図４は、従来の雨樋支持具を示す分解斜視図及び組立斜視図である。
【０００３】
この雨樋支持具１００は、平板の中央を前方に屈曲形成して、上下に開通する差込部１１１が形成された座金１０１と、前端側には、雨樋Ｔを支持可能な樋支持具本体１１２が形成されると共に、基端側には、下方に延設する取付片部１２２が形成された取付杆１０２とから成る。
【０００４】
ここで、樋支持具本体１１２は、雨樋Ｔを支持可能であればよく、取付杆１０２と一体又は別体に形成されていても、その構造には限定されない。
【０００５】
座金１０１の適所には、これを釘１０３等によって軒先等に固定するための取付孔１２１を開設している。
【０００６】
また、座金１０１の差込部１１１には、リベット１０４の軸部１１４を貫通する貫通孔１３１が開設されている。
【０００７】
一方、取付杆１０２の取付片部１２２には、座金１０１の貫通孔１３１に重合される貫通孔１３２が開設されている。
【０００８】
この雨樋支持具１００は、取付杆１０２の取付片部１２２を座金１０１の差込部１１１に挿通すると共に、両者の貫通孔１３１、１３２を重合し、座金１０１の前方側から、リベット１０４の軸部１１４を貫通させてリベット止めを行うことによって、取付片部１２２と座金１０１とを固着している。
【０００９】
なお、図示しないが、雨樋支持具１００は、上記リベット止めに代えて、スポット溶接によっても取付片部１２２と座金１０１とを固着することもできる。
【００１０】
【発明が解決しようとする課題】
図５は、従来の雨樋支持具の要部を示す拡大横断面図である。
【００１１】
しかしながら、取付杆１０２の取付片部１２２を、座金１０１の差込部１１１にスムーズに挿通させるために、取付片部１２２は、差込部１１１よりも小さく形成されている。
【００１２】
そのため、座金１０１の差込部１１１と、取付片部１２２との間に僅かに隙間が生じ、取付片部１２２と座金１０１を固定した後、リベット１０４の軸部１１４を中心にして、隙間分だけ左右に回転を生じてしまう問題があった。
【００１３】
本発明は、かかる課題を解決することを目的とするもので、固着後の取付片部の回転を確実に防止できる雨樋支持具を提供する。
【００１４】
【課題を解決するための手段】
上記目的を達成するため、
請求項１に係る雨樋支持具は、平板を前方に屈曲形成し、上下に開通する差込部が形成された座金と、前端側には、雨樋を支持可能な樋支持具本体が形成されると共に、基端側には、上方又は下方に延設する取付片部が形成された取付杆とから成り、上記座金の差込部に、取付杆の取付片部を挿通し、これらがスポット溶接又はリベット止めによって固着された構造の雨樋支持具において、上記座金の差込部の内壁面には、前方に凹ませた、少なくとも角部を有する三角、四角などの多角形状の回転防止部が形成されると共に、上記取付杆の取付片部の前面には、上記回転防止部に係合される係止部が形成されており、上記回転防止部と係止部には、重合する貫通孔が開設されていると共に、上記係止部の裏面の貫通孔周囲にはリベットの逃がし凹所が形成されていることを特徴とする。
【００１５】
請求項２に係る雨樋支持具は、平板を前方に屈曲形成し、上下に開通する差込部が形成された座金と、前端側には、雨樋を支持可能な樋支持具本体が形成されると共に、基端側には、上方又は下方に延設する取付片部が形成された取付杆とから成り、上記座金の差込部に、取付杆の取付片部を挿通し、これらがスポット溶接又はリベット止めによって固着された構造の雨樋支持具において、上記座金の差込部の内壁面には、後方に凹ませた、少なくとも角部を有する三角、四角などの多角形状の回転防止部が形成されると共に、上記取付杆の取付片部の前面には、上記回転防止部に係合される係止部が形成されており、上記回転防止部と係止部には、重合する貫通孔が開設されていると共に、上記回転防止部の前面の貫通孔周囲にはリベットの逃がし凹所が形成されていることを特徴とする。
【００１６】
請求項１又は２のものでは、上記座金の差込部の内壁面に回転防止部が形成され、上記取付杆には、これと係合される係止部を形成している。そのため、座金の差込部に、取付杆の取付片部を挿通すれば、回転防止部と、係止部とが係合され、固着後の取付片部の回転を防止できる。
【００１７】
また、請求項１又は２に係る雨樋支持具は、上記回転防止部及び係止部は、少なくとも角部を有する三角、四角などの多角形状に形成されている。
【００１８】
請求項１又は２のものでは、回転防止部及び係止部が、少なくとも角部を有する多角形状に形成されているので、固着後の取付片部の回転を確実に防止できる。
【００１９】
請求項１に係る雨樋支持具は、上記座金の差込部の内壁面には、前方に凹ませた回転防止部が形成され、上記取付杆の取付片部の前面には、上記回転防止部に係合される係止部が形成されており、これらの回転防止部と係止部には、重合する貫通孔が開設されていると共に、上記係止部の裏面の貫通孔周囲にはリベットの逃がし凹所が形成されている。
【００２０】
請求項１のものでは、リベットの逃がし凹所が形成されているので、座金と取付片部とをリベット止めしたとき、この逃がし凹所にリベットの端部を嵌め入れることができ、リベットの端部が邪魔にならず、座金と取付片部とを面一にして壁面等に固定できる。
【００２１】
請求項２に係る雨樋支持具は、上記座金の差込部の内壁面には、後方に凹ませた回転防止部が形成され、上記取付杆の取付片部の前面には、上記回転防止部に係合される係止部が形成されており、これらの回転防止部と係止部には、重合する貫通孔が開設されていると共に、上記回転防止部の前面の貫通孔周囲にはリベットの逃がし凹所が形成されている。
【００２２】
請求項２のものでは、リベットの逃がし凹所が形成されているので、座金と取付片部とをリベット止めしたとき、この逃がし凹所にリベットの頭部を嵌め入れることができ、リベットの頭部が目立たず、美麗に仕上げることができる。
【００２３】
【発明の実施の形態】
図１は、本発明に係る雨樋支持具の一実施例を示す分解斜視図及び組立斜視図、図２は、図１の要部を示す拡大横断面図である。
以下、本発明に係る雨樋支持具Ａを図面に基づき説明する。
【００２４】
この雨樋支持具Ａは、平板を前方に屈曲形成して、上下に開通する差込部１１が形成された座金１と、前端側には、雨樋Ｔを支持可能な樋支持具本体２１が形成されると共に、基端側には、上方又は下方に延設する取付片部２２が形成された取付杆２とから成る。
【００２５】
ここで、樋支持具本体２１は、雨樋Ｔを支持可能であればよく、取付杆２と一体又は別体に形成するなど、その構造や形状等に限定されるものではない。
【００２６】
座金１は、差込部１１の前方に板状の中央壁面部１２を配置し、この中央壁面部１２の両側を後方に屈曲して側壁部１３、１３を形成し、これら側壁部１３、１３を、さらに壁面部１２と平行に各々両側に向けて屈曲して取付板部１４、１４を形成している。
【００２７】
また、取付板部１４、１４の適所には、釘４等によって座金１を軒先等に固定するための取付孔１５を開設している。
【００２８】
このように形成された座金１の差込部１１の内壁面（本図では中央壁面部１２の裏面）には、前方に凹ませた１以上の回転防止部１６を形成している。
【００２９】
この回転防止部１６は、差込部１１の内壁面（本図では中央壁面部１２の裏面）に、少なくとも前方に凹みが形成されていれば足りるが、図１で示した回転防止部１６は、中央壁面部１２の裏面から前方に向けて押出形成しており、このものでは、座金１の前側からでも回転防止部１６の位置が容易に目視できる。
【００３０】
また、回転防止部１６の形状は、図示された縦長の長方形状に限定されるものではないが、少なくとも角部を有する三角、四角などの多角形状に形成している。
【００３１】
また、回転防止部１６の略中央には、リベット３の軸部３１を貫通する貫通孔１６ａを開設している。
【００３２】
なお、回転防止部１６は、座金１の差込部１１の内壁面に、１以上形成されていれば足りるが、２以上の回転防止部１６を形成すれば、より効果的である。
【００３３】
一方、取付杆２の取付片部２２には、その前面適所に、座金１の回転防止部１６と係合する１以上の係止部２３を形成している。
【００３４】
この係止部２３は、座金１の回転防止部１６と係合するように、少なくとも前方に向けて凸部が形成されていれば足りるが、本実施例で示した係止部２３は、取付片部２２の裏面から前方に向けて押出形成している。
【００３５】
そのため、この係止部２３では、図２で示すように、その裏面に凹所が形成され、この凹所はリベット３をカシメたときに形成されるリベット端部３２を嵌入する逃がし凹所２４として機能する。
【００３６】
すなわち、このような逃がし凹所２４を形成すれば、座金１と取付片部２２とをリベット止めしたとき、この逃がし凹所２４にリベット端部３２を嵌め入れることができるので、リベット端部３２が邪魔にならず、取付片部２２をピッタリと壁面等に固定できる。
【００３７】
また、係止部２３の略中央には、回転防止部１６の貫通孔１６ａと重合する同様の貫通孔２３ａを開設している。
【００３８】
このような構造の本発明に係る雨樋支持具Ａによれば、座金１の差込部１１に、取付杆２の取付片部２２を挿通すれば、回転防止部１６と、係止部２３とが係合された状態でリベット３による固着が成されるため、取付片部２２の回転を確実に防止できる。
【００３９】
図３は、本発明に係る係止部と回転防止部の他例を示す拡大横断面図である。
【００４０】
ここで、図１、図２と共通する部位には、共通の符号を付し、その説明は省略する。
【００４１】
この雨樋支持具Ａでは、図１、図２で示した回転防止部１６を、前後逆方向に凹ませて形成したものを例示している。
【００４２】
すなわち、座金１の差込部１１の内壁面を後方に凹ませて回転防止部１６を形成すると共に、これに係合する係止部２３を、取付片部２２の前方から裏面に向けて押出形成している。
【００４３】
この雨樋支持具Ａでは、図３で示すように、座金１の前面に凹所が形成され、この凹所はリベット３の頭部３３を嵌入する逃がし凹所１７として機能する。
【００４４】
すなわち、このような逃がし凹所１７を形成すれば、座金１と取付片部２２とをリベット止めしたとき、この逃がし凹所１７にリベット３の頭部３３を嵌め入れることができるので、リベット３の頭部３３が目立たず、美麗に仕上げることができる。
【００４５】
なお、図１〜図３で示した、座金１及び取付杆２の形状は例示に過ぎず、座金１に取付杆２の取付片部２２を差し込んで固着するものであればよい。
【００４６】
上述のように形成された本発明に係る雨樋支持具Ａの施工方法を図１に基づいて説明する。
【００４７】
先ず、座金１の差込部１１に、取付杆２の取付片部２２を挿通すると共に、座金１の回転防止部１６に、取付杆２の係止部２３を係合するだけで、その位置を簡単に決めることができる。
【００４８】
この係合された状態では、回転防止部１６と係止部２３の貫通孔１６ａ、２３ａが重合されているので、座金１の前方側から、リベット３の軸部３１を貫通させてリベット止めを行うことによって、取付片部２２と座金１とを固着する。
【００４９】
そして、両者が固着された状態で、その座金１を軒先等の適所に配置し、その取付孔１５に釘４の先端を差入れ、この頭部を金槌で打ち込む。
【００５０】
最後に、取付杆２の樋支持具本体２１に、雨樋Ｔを取付け、これを支持するのである。
【００５１】
なお、本実施例中で示した、座金１及び取付杆２の形状は例示に過ぎず、座金１に取付杆２の取付片部２２を差し込んで固着するものであればよい。
【００５２】
【発明の効果】
本発明によれば、次のような効果がある。
【００５３】
請求項１又は２に係る雨樋支持具によれば、座金の差込部の内壁面、又は、取付杆の取付片部の前面の何れか一方に回転防止部が形成され、他方には、これと係合される係止部を形成している。
【００５４】
そのため、座金の差込部に、取付杆の取付片部を挿通すれば、回転防止部（又は係止部）と、係止部（又は回転防止部）とが係合され、固着後の取付片部の回転を防止できる。
【００５５】
また、回転防止部及び係止部が、少なくとも角部を有する多角形状に形成されているので、固着後の取付片部の回転を確実に防止できる。
【００５６】
請求項１に係る雨樋支持具によれば、係止部の裏面の貫通孔周囲には、リベットの逃がし凹所が形成されているので、座金と取付片部とをリベット止めしたとき、上記逃がし凹所にリベットの端部を嵌め入れることができ、リベットの端部が邪魔にならず、座金と取付片部とを面一にして壁面等に固定できる。
【００５７】
請求項２に係る雨樋支持具によれば、回転防止部の前面の貫通孔周囲には、リベットの逃がし凹所が形成されているので、座金と取付片部とをリベット止めしたとき、この逃がし凹所にリベットの頭部を嵌め入れることができ、リベットの頭部が目立たず、美麗に仕上げることができる。
【図面の簡単な説明】
【図 １】本発明に係る雨樋支持具の一実施例を示す分解斜視図及び組立斜視図
【図 ２】図１の要部を示す拡大横断面図
【図 ３】本発明に係る係止部と回転防止部の他例を示す拡大横断面図
【図 ４】従来の雨樋支持具を示す分解斜視図及び組立斜視図
【図 ５】従来の雨樋支持具の要部を示す拡大横断面図
【符号の説明】
Ａ      雨樋支持具
Ｔ      雨樋
１      座金
１１    差込部
１６    回転防止部
１６ａ  貫通孔
１７    逃がし凹所
２      取付杆
２１    樋支持具本体
２２    取付片部
２３    係止部
２３ａ  貫通孔
２４    逃がし凹所
３      リベット
【図１】
0004729190.tif 000002
【図２】
0004729190.tif 000003
【図３】
0004729190.tif 000004
【図４】
0004729190.tif 000005
【図５】
0004729190.tif 000006